(57)【要約】      （修正有）【課題】  製造工程上、最終検査が終わってからカバー部材を外装部材に取り付けることができ、かつ取り付けた後にカバー部材が簡単に抜けることがない電子機器を提供する。【解決手段】  少なくとも２本の引き出し部５ａ、５ａ’と、引き出し部の先端にそれぞれ係合部５ｂ、５ｂ’が形成されるカバー部材と、引き出し部が挿入される挿入穴と、挿入穴の略中央部分に係合部の幅寸法よりも小さい幅寸法の切り欠きが形成される外装部材とを有する。【選択図】  図７
2008028174.tif 000002
【特許請求の範囲】
【請求項１】
少なくとも２本の引き出し部と、前記引き出し部の先端にそれぞれ係合部が形成されるカバー部材と、
前記引き出し部が挿入される挿入穴と、前記挿入穴の略中央部分に前記係合部の幅寸法よりも小さい幅寸法の切り欠きが形成される外装部材とを有することを特徴とする電子機器。
【請求項２】
前記引き出し部は互いに離間して形成され、前記係合部は隣り合う引出し部に向って延出形成されることを特徴とする請求項１記載の電子機器。
【請求項３】
前記引き出し部は互いに近接位置に形成され、係合部は隣り合う引出し部とは反対方向に向って延出形成されることを特徴とする請求項１記載の電子機器。
【請求項４】
前記切り欠きの幅寸法は、前記挿入穴の幅寸法から前記引き出し部の幅寸法の合計を減算した値に略等しいことを特徴とする請求項１ないし３の何れかに記載の電子機器。
【請求項５】
前記引き出し部および前記係合部は弾性を有する材料で形成されることを特徴とする請求項１ないし４の何れかに記載の電子機器。
【発明の詳細な説明】
【技術分野】
【０００１】
本発明は、電子機器に関し、特にカバー部材を有する電子機器の外装構造に関するものである。
【背景技術】
【０００２】
デジタルカメラなどの電子機器には、様々なオプション類の他、コンピュータなど各種情報機器に接続するための外部接続用端子が設けられている。
【０００３】
このようなデジタルカメラの外部接続用端子を保護するために、カメラ本体には、外部接続用端子を塞ぐように端子カバーが装着される。
【０００４】
図１０は従来のデジタルカメラの端子カバーを説明する図である。図１０（ａ）はカメラ本体に装着された端子カバーの外観図であり、図１０（ｂ）は図１０（ａ）のＡ−Ａ断面図、図１０（ｃ）は図１０（ｂ）の要部拡大図である。
【０００５】
端子カバー１０１に設けた突起部１０１ａの先端部には、円錐台形状１０１ｂが設けてあり、円錐台形状１０１ｂの径φａがカメラ本体の外装部品１０３の穴部１０３ａの径φｂよりも大きく形成されている。外装部品１０３の穴部１０３ａに端子カバー１０１の突起部１０１ａを押し込むと、円錐台形状１０１ｂが変形する。図１０（ｃ）に示すように円錐台形状１０１ｂが穴部１０３ａを貫通するところまで押し込まれると、円錐台形状１０１ｂが外装部品１０３の内壁に引っかかることで、端子カバー１０１は外装部品１０３に装着される。
【０００６】
図１１および図１２は、別の端子カバーを説明する図である。この端子カバーは、製造工程の途中でカメラ本体を構成する部品の間に挟み込まれることで、カメラ本体に装着される。図１１は端子カバー２０２を組み付けた状態を説明する斜視図である。図１２（ａ）は図１１のＡ点から見た図（側面図）、図１２（ｂ）は図１２（ａ）に示したＢ−Ｂ部分の断面図である。
【０００７】
この端子カバー２０２の組み付けについて説明する。まず、サイドカバー２０１の穴２０１ａに端子カバー２０２の係合部２０２ａを挿通する。その後、カメラ本体部品２００を組み付ける。カメラ本体部品２００が組みつけられることによって、端子カバー２０２の係合部２０２ａがカメラ本体部品２００の切り欠き部２００ａに引っかかって、端子カバー２０２はサイドカバー２０１の穴２０１ａから抜けなくなる。
【０００８】
また、携帯電話本体に端子カバーを挿入して、端子カバーの一部を携帯電話本体の抜け止め部に引っ掛ける構成が開示されている（特許文献１参照）。
【特許文献１】特開２００１−２１０９７２号公報
【発明の開示】
【発明が解決しようとする課題】
【０００９】
しかしながら、図１０に示す押し込みタイプの端子カバーの場合、組み付け後に端子カバーが抜けないように、端子カバーの突起部先端に設けた引っ掛け形状である円錐台形状の径φａがカメラ本体の外装部品の穴φｂよりも大きく形成されてはいる。しかしながら、その寸法差は小さいので、強い力で端子カバーを引っ張ると、カメラ本体から端子カバーが抜けてしまうおそれがあった。
【００１０】
一方、図１１および図１２に示す挟み込みタイプの端子カバーの場合、カメラの製造工程中に端子カバーを挟み込む必要があるので、生産性の低下を招いていた。さらに、挟み込みタイプの端子カバーの場合には、カメラ製造工程におけるカメラ本体の各種特性検査の際に、端子カバーが邪魔になって生産性を低下させていた。
【００１１】
そこで、本発明は、上記課題に鑑みてなされたものであり、製造工程上、最終検査が終わってからカバー部材を外装部材に取り付けることができ、かつ取り付けた後にカバー部材が簡単に抜けることがない電子機器を提供することを目的とする。
【課題を解決するための手段】
【００１２】
本出願に係る発明の目的を実現する第１の構成は、少なくとも２本の引き出し部と、前記引き出し部の先端にそれぞれ係合部が形成されるカバー部材と、前記引き出し部が挿入される挿入穴と、前記挿入穴の略中央部分に前記係合部の幅寸法よりも小さい幅寸法の切り欠きが形成される外装部材とを有することを特徴とする。
【発明の効果】
【００１３】
本発明によれば、製造工程上、最終検査が終わってからカバー部材を外装部材に取り付けることができ、かつ取り付けた後にカバー部材が簡単に抜けることがない電子機器を提供することができる。
【発明を実施するための最良の形態】
【００１４】
（第１の実施形態）
図１は、本発明の第１の実施形態にかかる端子カバーが取り付けられたデジタルカメラを示す側面図である。図１に示すように、端子カバー５はカメラ本体１に取り付けられている。カメラ本体１は、フロントカバー２およびリアカバー３、サイドカバー４等の外装部品を備えている。図２は端子カバー５を取り付ける前のカメラ本体１を説明する斜視図である。図２において、カメラ本体１は端子カバー５によってカバーされる外部接続用端子６を有する。また、端子カバー５には、引き出し部５ａ、５ａ’および係合部５ｂ、５ｂ’が形成されている。図３（ａ）はサイドカバー４の側面図、図３（ｂ）はサイドカバーの正面図、図３（ｃ）はサイドカバーの部分断面図である。
【００１５】
図３に示すように、サイドカバー４には外部接続用端子６に対応する開口部４ａと、端子カバー５の引き出し部５ａが出し入れされる穴４ｃが形成される。さらに、穴４ｃを形成する壁のほぼ中央部を切り欠いている。
【００１６】
図４（ａ）は端子カバー５の正面図、図４（ｂ）は端子カバー５の側面図、図４（ｃ）は端子カバー５の裏面図である。端子カバー２は、外部接続用端子６に嵌合可能な複数の凸部５ｃが裏面に形成されるカバー部５ｄと、カバー部５ｄから伸びる２本の引き出し部５ａ、５ａ’と、その先端部分に形成される係合部５ｂ、５ｂ’を有している。係合部５ｂは引き出し部５ａ’に向けて引き出し部５ａから延出して形成され、係合部５ｂ’は引き出し部５ａに向けて引き出し部５ａ’から延出して形成される。すなわち、係合部５ｂ、５ｂ’は引き出し部５ａ、５ａ’から、それぞれ内側に向けて延出して形成される。なお、係合部５ｂ、５ｂ’の幅寸法（ｘ２）はサイドカバー４の穴４ａに形成される切り欠きの幅寸法（ｘ１）より大きく（ｘ２＞ｘ１）設定されるとともに、係合部５ｂ、５ｂ’の幅寸法（ｘ２）は引き出し部５ａ、５ａ’の幅寸法（ｘ３）より大きく（ｘ２＞ｘ３）設定される。端子カバー２は、エラストマー樹脂等のゴム成分を含む弾性的な素材により成形されている。
【００１７】
次に、図５（ａ）から図５（ｃ）を用いて端子カバー５のカメラ本体１への組み付けについて説明する。
【００１８】
まず、端子カバー５の引き出し部５ａを図５（ａ）に示すように変形させ、サイドカバー４の切り欠きを利用して係合部５ｂを穴４ａに押し込む。次に、端子カバー５の引き出し部５ａ’を図５（ｂ）に示すように変形させ、サイドカバー４の切り欠きを利用して係合部５ｂ’を穴４ａに押し込む。図５（ｃ）に示すように端子カバー５の引き出し部５ａ、５ａ’が元の状態に戻る。最後に端子カバー５の複数の凸部５ｃをカメラ本体１の外部接続用端子６にそれぞれ嵌め込んで、組み付けが完了する。
【００１９】
次に、ユーザーが端子カバー５を開いたときの状態について説明する。
【００２０】
図６（ａ）から図６（ｃ）は、端子カバー５の使用状態を図示したものである。図６（ａ）は端子カバー５が閉じた状態を示す図である。図６（ｂ）は端子カバーが開いた状態を示す図である。図６（ｃ）は図６（ｂ）におけるＣ−Ｃ断面の断面図である。図７は端子カバー５を開いた場合の端子カバー５の係合部５ｂ、５ｂ’状態を説明するために、サイドカバーの一部を断面にした図である。
【００２１】
図６（ａ）の状態からユーザーが端子カバー５を持ち上げると、裏面に設けた複数の凸部５ｃが外部接続用端子６から外れる。その後、図６（ｂ）に示すように端子カバー５を横方向にスライド移動させると、図７に示すように係合部５ｂ、５ｂ’がサイドカバー４の係止部４ｂ、４ｂ’に当接して、端子カバー５のスライド移動が規制される。なお、サイドカバー４の係止部４ｂ、４ｂ’の幅寸法が引き出し部５ａ、５ａ’の幅寸法（ｘ３）とほぼ同じになるように形成している。このことによって、端子カバー５を図６（ｂ）の矢印方向に強く引っ張っても、係合部５ｂ、５ｂ’がサイドカバー４の穴４ａに形成される切り欠きの部分に引き込まれることがない。そして、この状態から端子カバー５をめくり上げると、図６（ｃ）のように引き出し部５ａが変形して、カメラ本体１の外部接続用端子６を使用できるようになる。
【００２２】
図８は、図７の状態から端子カバーに図中矢印Ｄ方向の力を加えた状態でのサイドカバー４の一部を断面にした図である。図８に示すように、端子カバー５に斜め方向に力を加えると、端子カバーの係合部５ｂ’が図中矢印Ｆ方向にスライドし、係合部５ｂに当接してその移動を規制する。このとき端子カバー５の係合部５ｂ、５ｂ’の幅寸法（ｘ２）はサイドカバー４の穴４ａに形成される切り欠きの幅寸法（ｘ１）より大きいので、サイドカバー４の穴４ｃから係合部５ｂ、５ｂ’が簡単に抜け出ることがない。
【００２３】
したがって、製造工程上、最終検査が終わってから端子カバー５をカメラ本体１へ組み込むことができ、かつ、ユーザーが端子カバー５を触っても簡単に抜けることがない。
【００２４】
（第２の実施形態）
図９は、本発明の第２の実施形態にかかる端子カバー２２が取り付けられたデジタルカメラのサイドカバー２１を示す図である。前述の第１の実施形態では、端子カバーの係合部が端子カバーの引き出し部よりも内側に延出して形成されているのに対して、第２の実施形態では、端子カバーの係合部が端子カバーの引き出し部よりも外側に延出して形成されている。
【００２５】
図９において、端子カバー２２には引き出し部２２ａ、２２ａ’が形成される。引き出し部２２ａ、２２ａ’の先端には係合部２２ｂ、２２ｂ’が形成されている。は、引き出し部２２ａ、２２ａ’よりも外側に延出して形成される。サイドカバー２１には、引き出し部２２ａ、２２ａ’が挿入される穴２１ｃが形成される。また、穴２１ｃを形成する壁の一部が切り欠かれて、係合部２２ｂ、２２ｂ’を押し込むためことができるように形成されている。
【００２６】
端子カバー２２をサイドカバー２１への組み付け方法は、前述の第１の実施形態と同じように、端子カバー２２の引き出し部２２ａを変形させて、サイドカバー２１の切り欠き部から係合部２２ｂを押し込む。その後、端子カバー２２の引き出し部２２ａ’を変形させてサイドカバー２１の切り欠き部から係合部２２ｂ’を押し込む。
【００２７】
このとき、係合部２２ｂの寸法ｘ２２はサイドカバー２１に設けた切り欠き部の幅寸法ｘ２１よりも大きく（ｘ２２＞ｘ２１）、かつ係合部２２ｂの幅寸法ｘ２２は端子カバーの引き出し部２２ｂの幅寸法ｘ２３よりも大きく（ｘ２２＞ｘ２３）なるように形成されている。
【００２８】
端子カバー２１が引き出されても端子カバー２２の係合部２２ｂ、  ２２ｂ’がサイドカバー２１の係止部２１ｂ、２１ｂ’に当接することでその移動を規制される。また、端子カバー２２に斜め方向の力が加わったとしても、端子カバー２２の係合部２２ｂ、２２ｂが互いに当接することでサイドカバー２１の穴２１ｃから端子カバー２２が抜けることはない。
【図面の簡単な説明】
【００２９】
【図１】本発明の第１の実施形態である端子カバーが取り付けられたデジタルカメラを示す側面図である。
【図２】端子カバーを取り付ける前のカメラ本体を説明する斜視図である。
【図３】サイドカバーの形状を説明する図である。
【図４】端子カバーの形状を説明する図である。
【図５】端子カバーをサイドカバーに組み付ける手順を説明する図である。
【図６】端子カバーの使用状態を説明する図である。
【図７】端子カバーを開いた状態でのサイドカバーの一部を断面にした図である。
【図８】端子カバーに斜め方向に力を加えた状態でのサイドカバーの一部を断面にした図である。
【図９】本発明の第２実施形態である端子カバーが取り付けられたサイドカバーの一部を断面にした図である。
【図１０】従来の端子カバーを説明する図である。
【図１１】従来の端子カバーを説明する図である。
【図１２】従来の端子カバーを説明する図である。
【符号の説明】
【００３０】
１  カメラ本体
２  フロントカバー
３  リアカバー
４  サイドカバー
４ｂ、４ｂ’  係止部
４ｃ  穴部
５  端子カバー
５ａ、５ａ’  引き出し部
５ｂ、５ｂ’係  合部
２１  サイドカバー
２１ｂ、２１ｂ’  係止部
２１ｄ  切り欠き部
２２  端子カバー
２２ａ、２２ａ’  引き出し部
２２ｂ、２２ｂ’  係合部
【図１】
2008028174.tif 000003
【図２】
2008028174.tif 000004
【図３】
2008028174.tif 000005
【図４】
2008028174.tif 000006
【図５】
2008028174.tif 000007
【図６】
2008028174.tif 000008
【図７】
2008028174.tif 000009
【図８】
2008028174.tif 000010
【図９】
2008028174.tif 000011
【図１０】
2008028174.tif 000012
【図１１】
2008028174.tif 000013
【図１２】
2008028174.tif 000014